(57)【要約】【課題】取付対象物の周りで環状となる可撓部材が同取付対象物を締め付けたとき、表示部が反った状態となることを抑制できる表示具を提供する。【解決手段】表示具１は、所定の長さを有するバンド部２と、そのバンド部２の長手方向の一方の端部に設けられたロック部３と、バンド部２におけるロック部３よりも同バンド部２の長手方向中央寄りに形成された表示部４と、を備える。バンド部２はフレキシブルパイプに巻き付けられて環状となり、その状態のバンド部２がロック部３によってロックされる。表示部４は、バンド部２の幅よりも幅広であって同バンド部２の幅方向の縁からはみ出すものであり、バンド部２の延びる方向において分割された複数の分割体４ａ，４ｂ，４ｃと、それら分割体４ａ，４ｂ，４ｃ同士を繋ぐフィルムヒンジ１０ａ，１０ｂとを備える。フィルムヒンジ１０ａ，１０ｂは、分割体４ａ，４ｂ，４ｃよりも薄肉に形成される。【選択図】図２
2017187556.tif 000002
【特許請求の範囲】
【請求項１】
取付対象物に対する巻き付けを可能とする長さを有する可撓部材と、
前記可撓部材が前記取付対象物の周りで環状となった状態に同可撓部材をロックするロック部と、
前記可撓部材の幅よりも幅広であって同可撓部材の幅方向の縁からはみ出すよう前記可撓部材に形成されている表示部と、
を備える表示具において、
前記表示部は、前記可撓部材の延びる方向において分割された複数の分割体と、それら分割体同士を繋ぐ同分割体よりも薄肉のフィルムヒンジと、を備える
ことを特徴とする表示具。
【請求項２】
前記表示部の裏面には、前記可撓部材の幅方向に延びた状態で前記取付対象物の表面に当接する突条部が形成されている請求項１記載の表示具。
【発明の詳細な説明】
【技術分野】
【０００１】
本発明は、取付対象物に取り付けられて情報を表示する表示具に関する。
【背景技術】
【０００２】
特許文献１、２に示される表示具は、取付対象物に対する巻き付けを可能とする長さを有する可撓部材と、その可撓部材が取付対象物の周りで環状となった状態に同可撓部材をロックするロック部と、上記可撓部材の幅よりも幅広であって同可撓部材の幅方向の縁からはみ出すよう上記可撓部材に形成されている表示部と、を備えている。なお、表示部には例えば取付対象物に関係する情報が表示される。
【先行技術文献】
【特許文献】
【０００３】
【特許文献１】特開２００６−１１１２７２号公報
【特許文献２】特許第４６４１３６８号公報
【発明の概要】
【発明が解決しようとする課題】
【０００４】
図７は、取付対象物６３に表示具６１を取り付けた状態を示している。このときの表示具６１の可撓部材６２は、取付対象物６３に対し環状に巻き付けられており、取付対象物６３を締め付けた状態でロック部６５によってロックされている。
【０００５】
表示具６１において、環状となった可撓部材６２が取付対象物６３を締め付けると、表示部６４における可撓部材６２に繋がる部分は、同可撓部材６２により取付対象物６３の中心に向って（図７の下方に向って）引っ張られるため、取付対象物６３の表面形状に合わせて変形しようとする。一方、表示部６４における可撓部材６２の幅方向（図７の左右方向）の端部では、可撓部材６２によって図７の下方に引っ張られることはないため、上述したような変形はほとんど生じない。
【０００６】
これらのことから、環状となった可撓部材６２が取付対象物６３を締め付けたとき、表示部６４が図７の左右方向において反ってしまうことがある。そして、このように表示部６４が反った状態になると、その表示部６４における表示が見えにくくなる。
【０００７】
本発明の目的は、取付対象物の周りで環状となる可撓部材が同取付対象物を締め付けたとき、表示部が反った状態となることを抑制できる表示具を提供することにある。
【課題を解決するための手段】
【０００８】
以下、上記課題を解決するための手段及びその作用効果について記載する。
上記課題を解決する表示具は、取付対象物に対する巻き付けを可能とする長さを有する可撓部材と、その可撓部材が上記取付対象物の周りで環状となった状態に同可撓部材をロックするロック部と、上記可撓部材の幅よりも幅広であって同可撓部材の幅方向の縁からはみ出すよう上記可撓部材に形成されている表示部と、を備える。そして、上記表示部は、上記可撓部材の延びる方向において分割された複数の分割体と、それら分割体同士を繋ぐ同分割体よりも薄肉のフィルムヒンジと、を備える。
【０００９】
上記構成によれば、環状となった可撓部材が取付対象物を締め付けたとき、表示部がフィルムヒンジで折れ曲がり、その折れ曲がりに伴って表示部の剛性が高められる。このため、環状となった可撓部材が取付対象物を締め付けたとき、表示部における可撓部材に繋がる部分が同可撓部材により取付対象物の中心に向って引っ張られたとしても、それに伴い表示部が変形して同表示部が可撓部材の幅方向において反ってしまうことを抑制できる。
【００１０】
なお、上記表示部の裏面には、可撓部材の幅方向に延びた状態で取付対象物の表面に当接する突条部を形成しておくことが考えられる。
この構成によれば、環状となった可撓部材が取付対象物を締め付けたとき、表示部の裏面に可撓部材の幅方向に延びるように形成された突条部が取付対象物の表面に対し当接する。この取付対象物の表面に対する上記突条部の当接により、取付対象物の表面に対する表示部の位置ずれが生じることは抑制される。
【図面の簡単な説明】
【００１１】
【図１】表示具の全体構成を示す斜視図。
【図２】（ａ）及び（ｂ）は表示具を拡大して示す断面図及び底面図。
【図３】表示具のロック部を拡大して示す断面図。
【図４】フレキシブルパイプに対する表示具の取り付け態様を示す略図。
【図５】フレキシブルパイプに対する表示具の取り付け態様を示す略図。
【図６】表示具がフレキシブルパイプに取り付けられた状態を示す斜視図。
【図７】表示具の従来例を示す略図。
【発明を実施するための形態】
【００１２】
以下、表示具の一実施形態について、図１〜図６を参照して説明する。
図１に示すように、表示具１は、所定の長さを有するバンド部２と、そのバンド部２の長手方向の一方の端部に設けられたロック部３と、バンド部２におけるロック部３よりも同バンド部２の長手方向中央寄りに形成された表示部４と、を備えている。上記バンド部２は、表示具１の取付対象物であるフレキシブルパイプ９に対する巻き付けを可能とする長さを有する可撓部材として機能する。また、上記ロック部３は、バンド部２がフレキシブルパイプ９の周りで環状となった状態に同バンド部２をロックするためのものである。なお、上記フレキシブルパイプ９は、蛇腹状をなすサヤ管９ａと、そのサヤ管９ａの内部に挿通された樹脂管９ｂと、によって構成されている。
【００１３】
図２において、（ａ）は表示具１の断面を示しており、（ｂ）は表示具１の裏面を示している。図２の（ａ）及び（ｂ）から分かるように、バンド部２の裏面には、そのバンド部２の長手方向に等間隔をおいて多数の山部５が形成されている。また、ロック部３にはバンド部２を挿通することが可能な挿通孔６が形成されており、挿通孔６の内部にはバンド部２の山部５との係合が可能である山部７を有する可動部８が形成されている。この可動部８は、挿通孔６の通過断面積を拡大する方向（図２（ａ）の左右方向）において、弾性的に変位することが可能となっている。
【００１４】
図３は、図２（ａ）に示すバンド部２を円環状に湾曲させるとともに、バンド部２におけるロック部３と反対側の端部を上記挿通孔６に対し図２（ａ）の下方から挿通させ、バンド部２の山部５（二点鎖線）をロック部３の山部７と係合させた状態を示している。図３から分かるように、バンド部２を挿通孔６に対し図３の上段の図の下から上に変位させると、バンド部２の山部５がロック部３の山部７を乗り越えてゆき、山部５と山部７とが係合した状態となる。この状態のもとでは、山部５，７の対向面５ａ，７ａ同士の当接により、バンド部２がロック部３（挿通孔６）に対し図３の上から下に向けて変位することがないようロックされる。
【００１５】
図２（ｂ）に示すように、表示部４は、バンド部２の幅よりも幅広であって同バンド部２の幅方向（図２（ｂ）の上下方向）の縁からはみ出すよう、バンド部２に形成されている。この表示部４は、バンド部２の延びる方向において分割された複数の分割体４ａ，４ｂ，４ｃと、それら分割体４ａ，４ｂ，４ｃ同士を繋ぐフィルムヒンジ１０ａ，１０ｂと、を備えている。分割体４ａ，４ｂ，４ｃのうち、三者の中央に位置する分割体４ｂの表面（図２（ａ）の上面）には情報（例えばフレキシブルパイプ９の接続先）が塗装等によって表示されている。
【００１６】
分割体４ａと分割体４ｂとは、それらの間に設けられた上記フィルムヒンジ１０ａによって繋がれている。このフィルムヒンジ１０ａは、分割体４ａ，４ｂよりも薄肉に形成されており、可撓性を有している。また、分割体４ｂと分割体４ｃとは、それらの間に設けられた上記フィルムヒンジ１０ｂによって繋がれている。このフィルムヒンジ１０ｂは、分割体４ｂ，４ｃよりも薄肉に形成されており、可撓性を有している。また、表示部４における分割体４ｂの裏面であって、フィルムヒンジ１０ａの近傍とフィルムヒンジ１０ｂの近傍との二箇所、言い換えればバンド部２の長手方向に所定間隔をおいた二箇所には、バンド部２の幅方向に延びる突条部１１ａ，１１ｂが突出形成されている。
【００１７】
次に、表示具１の作用について説明する。
図４及び図５は、フレキシブルパイプ９に対する表示具１の取り付け態様を示している。図４に示すように、フレキシブルパイプ９に表示具１を取り付ける際には、同パイプ９の外周面に対し表示具１における表示部４の裏面（突条部１１ａ，１１ｂ）を当接させる。この状態で、バンド部２をフレキシブルパイプ９の周りに環状となるように巻き付け、バンド部２におけるロック部３と反対側の端部を同ロック部３の挿通孔６に挿通する。更に、挿通孔６を通したバンド部２の端部をフレキシブルパイプ９から離れる方向に引っ張ることにより、環状となったバンド部２がフレキシブルパイプ９を締め付けるとともに、図５に示すようにバンド部２が環状となった状態に同バンド部２がロックされる。
【００１８】
環状となったバンド部２がフレキシブルパイプ９を締め付けたとき、表示部４がフィルムヒンジ１０ａ，１０ｂで折れ曲がり、その折れ曲がりに伴って表示部４の剛性が高められる。このため、環状となったバンド部２がフレキシブルパイプ９を締め付けたとき、表示部４におけるバンド部２に繋がる部分が同バンド部２によりフレキシブルパイプ９の中心線に向って引っ張られたとしても、それに伴い表示部４が変形して同表示部４がバンド部２の幅方向において図６にＹ１で示すように反ってしまうことを抑制できる。
【００１９】
また、図５に示すように、環状となったバンド部２がフレキシブルパイプ９を締め付けたとき、表示部４の裏面にバンド部２の幅方向に延びるように形成された突条部１１ａ，１１ｂが、フレキシブルパイプ９の外周面に対し当接する。このフレキシブルパイプ９の外周面に対する上記突条部１１ａ，１１ｂの当接により、フレキシブルパイプ９の外周面に対し表示部４の位置がずれることは抑制される。詳しくは、図６に示すように表示部４の長手方向に直線Ｌを延ばしたとき、その直線Ｌがフレキシブルパイプ９の中心線Ｃに対し矢印Ｙ２方向に傾斜するよう同表示部４の位置がずれることは、フレキシブルパイプ９の外周面に対する上記突条部１１ａ，１１ｂ（図５）の当接により抑制される。
【００２０】
以上詳述した本実施形態によれば、以下に示す効果が得られるようになる。
（１）表示具１のバンド部２がフレキシブルパイプ９の周りで環状となって同パイプ９を締め付けたとき、表示部４が反った状態となって表示部４の表示が見えにくくなることを抑制できる。
【００２１】
（２）表示具１がフレキシブルパイプ９に取り付けられたとき、同パイプ９の外径に応じて表示部４における分割体４ｂと分割体４ａ，４ｃとの折れ曲がりの度合いが変わることにより、フレキシブルパイプ９の外径にかかわらず同パイプ９に対し表示具１を取り付けることができる。
【００２２】
（３）環状となったバンド部２がフレキシブルパイプ９を締め付けたとき、バンド部２の幅方向に延びるように形成された突条部１１ａ，１１ｂがフレキシブルパイプ９の外周面に対し当接するため、その当接により同パイプ９の外周面に対し表示部４の位置がずれることは抑制される。このため、表示部４の位置ずれを招くことなく安定して表示具１をフレキシブルパイプ９に取り付けることができ、表示具１の取り付け作業を行うことが容易になる。
【００２３】
なお、上記実施形態は、例えば以下のように変更することもできる。
・突条部１１ａ，１１ｂは、バンド部２の幅方向において連続的に延びるものに限らず、断続的に延びるものであってもよい。
【００２４】
・突条部１１ａと突条部１１ｂとのうちの少なくとも一方を省略してもよい。
・突条部１１ａ，１１ｂを分割体４ｃの裏面に設ける代わりに、分割体４ａの裏面と分割体４ｃの裏面との少なくとも一方に突条部を設けるようにしてもよい。
【００２５】
・表示部４（分割体４ｂ）の表面には、塗装によって情報を表示したが、これに代えて、上記情報を表面の凹凸によって表示したりレーザーマーキングによって表示したりしてもよい。また、上記情報が表示されたシールを表示部４（分割体４ｂ）に貼り付けて接着するようにしてもよい。この場合、上記シールがフィルムヒンジ１０ａ，１０ｂにかかるようにすれば、仮にフィルムヒンジ１０ａ，１０ｂが破断したとしても、上記シールがフィルムヒンジ１０ａ，１０ｂの代わりを果たすことができる。
【００２６】
・表示部４を三つの分割体４ａ，４ｂ，４ｃに分割する代わりに、二つの分割体に分割し、それら分割体をフィルムヒンジで繋ぐようにしてもよい。例えば、分割体４ｃ及びフィルムヒンジ１０ｂを省略し、表示部４を分割体４ａ，４ｂに分割するとともに分割体４ａと分割体４ｂとをフィルムヒンジ１０ａで繋ぐようにしてもよい。また、分割体４ａ及びフィルムヒンジ１０ａを省略し、表示部４を分割体４ｂ，４ｃに分割するとともに分割体４ｂと分割体４ｃとをフィルムヒンジ１０ｂで繋ぐようにしてもよい。
【００２７】
・表示部４を四つ以上の分割体に分割し、隣り合う分割体同士をフィルムヒンジで繋ぐようにしてもよい。
・ロック部３としてバンド部２の山部５と可動部８の山部７との係合を通じて同バンド部の挿通孔６からの抜け止め（ロック）を行うものを例示したが、それとは異なる態様でロックを実現するロック部を採用してもよい。この場合、必ずしも帯状のバンド部２を可撓部材として用いる必要はなく、例えば丸紐状の可撓部材を用いることも可能である。
【００２８】
・表示具１の取付対象物としてフレキシブルパイプ９を例示したが、円筒状以外の取付対象物、例えば多角形の横断面を有する取付対象物に表示具１を取り付けるようにしてもよい。
【符号の説明】
【００２９】
１…表示具、２…バンド部、３…ロック部、４…表示部、４ａ…分割体、４ｂ…分割体、４ｃ…分割体、５…山部、５ａ…対向面、６…挿通孔、７…山部、７ａ…対向面、８…可動部、９…フレキシブルパイプ、９ａ…サヤ管、９ｂ…樹脂管、１０ａ…フィルムヒンジ、１０ｂ…フィルムヒンジ、１１ａ…突条部、１１ｂ…突条部。
【図１】
2017187556.tif 000003
【図２】
2017187556.tif 000004
【図３】
2017187556.tif 000005
【図４】
2017187556.tif 000006
【図５】
2017187556.tif 000007
【図６】
2017187556.tif 000008
【図７】
2017187556.tif 000009